(57)【要約】【課題】  本発明では、投入口を開閉する蓋部の開閉作業を容易にするとともに、蓋部の紛失を防止でき、扉の外側から蓋部を開けることができず、蓋部の脱落による作業者のケガや蓋部の破損を防止するゴミ箱の提供を目的とする。【解決手段】  入口を有する箱状の筐体２と、筐体２に入口を開閉自在に取付けた扉３と、扉３に形成される投入口８，９と、扉３の裏側から投入口８，９を開閉可能なシャッター機構とを備えるゴミ箱において、シャッター機構は、扉３の裏面に一端がヒンジ結合されるとともに投入口８，９を閉塞可能な蓋部１１と、筐体２に設けられ蓋部１１が投入口８，９を閉塞した状態で扉３が閉じられると蓋部１１に当接する当接部を有することを特徴とする。【選択図】  図３
2020037476.tif 000002
【特許請求の範囲】
【請求項１】
入口を有する箱状の筐体（２）と、
上記筐体（２）に上記入口を開閉自在に取付けた扉（３）と、
上記扉（３）に形成される投入口（８，９）と、
上記扉（３）の裏側から上記投入口（８，９）を開閉可能なシャッター機構とを備えるゴミ箱において、
上記シャッター機構は、上記扉（３）の裏面に一端がヒンジ結合されるとともに上記投入口（８，９）を閉塞可能な蓋部（１１）と、上記筐体（２）に設けられ上記蓋部（１１）が上記投入口（８，９）を閉塞した状態で上記扉（３）が閉じられると上記蓋部（１１）に当接する当接部を有することを特徴とするゴミ箱（１）。
【請求項２】
上記投入口（８，９）を開放している状態で上記蓋部（１１）を上記扉（３）の裏面に取付自在に連結可能な取付手段を備えることを特徴とする請求項１に記載のゴミ箱（１）。
【請求項３】
上記取付手段が、
上記蓋部（１１）の他端に形成され、縦幅と横幅が互いに異なる孔（１１Ｃ）と、
上記扉（３）の裏面に設けられる保持部（１４）と、
上記保持部（１４）に軸回りに回転自在に保持されるとともに、上記蓋部（１１）が上記投入口（８，９）を開放する際に上記孔（１１Ｃ）の中央に配置される軸（１５Ａ）と、
上記軸（１５Ａ）の反保持部側の端部に設けられ上記軸（１５Ａ）を中心に径方向に突出するとともに、突出方向の幅が上記縦幅と上記横幅のうち幅の大きい一方側の幅より小さく、上記縦幅と上記横幅のうち幅の小さい他方側の幅より大きい引掛け部（１５Ｂ）とを備えることを特徴とする請求項１又は２に記載のゴミ箱（１）。
【請求項４】
上記筐体（２）内に設けられ上記扉（３）が閉じられる際に上記投入口（９）の下方に配置される枠体（５Ａ）と、上記枠体（５Ａ）の内周から下方に向けて傾斜するガイド板（５Ｂ）とを有するシュート（５）を備え、
上記枠体（５Ａ）の外周が上記当接部であることを特徴とする請求項１から３のいずれか一項に記載のゴミ箱（１）。
【発明の詳細な説明】
【技術分野】
【０００１】
本発明は鉄道の駅構内や公園等の広場や施設内に設置され、空になった飲料水のペットボトル、ビン、缶等の回収、或いはその他の紙屑等の廃棄物を回収するのに適するゴミ箱に関するものである。
【背景技術】
【０００２】
一般的に、公共の施設内、鉄道の駅構内やプラットホーム等には飲料水を販売する自動販売機が設置され、さらに空になった飲料水のペットボトル、ビン、缶などの容器を回収するゴミ箱が自動販売機に併設される。
【０００３】
このゴミ箱としては、例えば特許文献１に示すように、開口を有し内部に回収容器を収容した箱状の筐体と、筐体に取付けられて開口を開閉する扉と、扉に設けられた複数の仕分け用の丸孔でなる投入口とを備えたものがある。そして、ゴミ箱は投入口から投入されるペットボトル等の廃棄物を筐体内の回収容器で回収する。
【０００４】
また、近年の外国人観光客や要人来日の増加に伴い、テロ対策として、ゴミ箱の投入口を塞ぐ機会が増加しているが、このゴミ箱には、扉の裏側に板状の蓋を挿入可能であって挿入された蓋を支持可能な支持部を備えたガイド部が設けられており、蓋をガイド部に挿入することで、ゴミ箱の投入口を閉鎖できるようになっている。そのため、このゴミ箱では、テロ対策が必要な場合には、蓋をガイド部に挿入することで投入口を閉鎖してゴミ箱に不審物が投入されるのを防止できる。
【先行技術文献】
【特許文献】
【０００５】
【特許文献１】実用新案登録第３１９１３４２号公報（図２  要約参照）
【発明の概要】
【発明が解決しようとする課題】
【０００６】
しかしながら、上記従来のゴミ箱は機能上欠陥があるわけではないが、次のような不具合の改善が望まれている。
【０００７】
従来のゴミ箱は投入口を開閉する蓋をガイド部にスライド自在に挿入するものであるから、投入口を開閉する際にその都度蓋の差込み又は抜き取り作業をしなければならず、その開閉作業が非常に手間であった。
【０００８】
また、従来のゴミ箱では、蓋を完全に取り外すことができるため、継続的に使用した際に、取り外した蓋を紛失してしまう恐れがあった。
【０００９】
さらに、従来のゴミ箱では、蓋はガイド部に挿入されているだけなので、投入口を閉鎖しているときであっても、投入口を介して扉の外側から蓋を抜き取り方向にスライドさせれば、ガイド部から蓋が脱落して投入口を開放できてしまう。そのため、投入口を蓋で閉鎖しても蓋が外されて不審物が投入される可能性がある。
【００１０】
また、従来のゴミ箱では、蓋を完全に取り外すことができるため、投入口の開閉作業時に蓋を落として作業者にケガをさせてしまったり、蓋を破損させてしまう恐れがあった。
【００１１】
そこで、本発明の目的は、投入口を開閉する蓋の開閉作業を簡単にするとともに、蓋の紛失を防止でき、扉の外側から投入口を開放できず、蓋の脱落による作業者のケガや蓋の破損を防止するゴミ箱を提供することである。
【課題を解決するための手段】
【００１２】
上記の目的を達成させるため、本発明のゴミ箱は、入口を有する箱状の筐体と、上記筐体に上記入口を開閉自在に取付けた扉と、上記扉に形成される投入口と、上記扉の裏側から上記投入口を開閉可能なシャッター機構とを備えるゴミ箱において、上記シャッター機構は、上記扉の裏面に一端がヒンジ結合されるとともに上記投入口を閉塞可能な蓋部と、上記筐体に設けられ上記蓋部が上記投入口を閉塞した状態で上記扉が閉じられると上記蓋部に当接する当接部を有することを特徴とする。
【発明の効果】
【００１３】
本発明によれば、次の効果を達成できる。
Ａ）蓋部が扉の裏面にヒンジ結合されているので、この蓋部を回転させるだけで投入口を開閉できるため、投入口の開閉作業が容易である。
Ｂ）蓋部が投入口を閉塞した状態で扉が閉じられると蓋部に当接する当接部が筐体に設けられているため、扉を閉じるだけで蓋部が裏側から押えられて蓋部を表側から押し開かせることができなくなり、投入口を閉じる作業の作業性が向上する。
Ｃ）蓋部が投入口の開閉状態に関係なく常に扉の裏側に保持されているので、蓋部の紛失を防止できる。
Ｄ）投入口を閉塞した状態で扉が閉じられると蓋部に当接部が当接し、蓋部が扉の外側から押されたとしても投入口が開放されないため、扉の外側から投入口を開放できないようになっている。
Ｅ）蓋部が扉の裏側に保持されているので、蓋部の脱落による作業者のケガや蓋部の破損を防止できる。
【図面の簡単な説明】
【００１４】
【図１】本実施の形態に係るゴミ箱において、投入口を開放した状態を示す斜視図である。
【図２】本実施の形態に係るゴミ箱において、投入口を閉塞した状態を示す斜視図である。
【図３】本実施の形態に係るゴミ箱において、投入口を開放した状態で扉を開いた状態を示す斜視図である。
【図４】本実施の形態に係るゴミ箱において、投入口を閉塞した状態で扉を開いた状態を示す斜視図である。
【図５】本実施の形態に係るゴミ箱において、扉を閉じた状態の一部を拡大して示す縦断面図である。
【図６】本実施の形態に係るストッパーを示す一部拡大斜視図であって、（Ａ）はストッパーのアンロック状態を示し、（Ｂ）はストッパーのロック状態を示す。
【発明を実施するための形態】
【００１５】
本発明は鉄道の駅構内や公園等の広場や施設内に設置され、空になった飲料水用のペットボトル、ビン、缶や紙屑等の廃棄物を回収するのに適するゴミ箱に関するものである。
【００１６】
以下、図１〜図６に基づいて、このゴミ箱について詳細に説明する。本発明に係るゴミ箱１は、入口を有する箱状の筐体２と、筐体２に入口を開閉自在に取付けた扉３と、扉３に上下に二つ並べて配置されて形成される投入口８，９と、扉３の裏側から投入口８，９を開閉可能なシャッター機構とを備えている。
【００１７】
筐体２は、図３、図４に示すように、箱状であって、図中正面側が開放されて形成された入口を有している。また、筐体２の内側には棚板４が水平に設けられており、棚板４が棚として機能するため、筐体２内に備品等を収容できるようになっている。また、筐体２には、上部シュート６と下部シュート５が上下に並べて配置されており、扉３を閉じた際に、上部シュート６は上側の投入口８と連通し、下部シュート５は下側の投入口９と連通するようになっている。
【００１８】
具体的には、図３、図４、図５に示すように、上部シュート６は、底部６Ａが開口側から下方に向けて傾斜する筒状であって、棚板４の下面に連結されている。
【００１９】
下部シュート５は、図３、図４、図５に示すように、筐体２内に設けられ扉３を閉じた際に下側の投入口９の下方に配置される四角状の枠体５Ａと、枠体５Ａの内周から下方に向けて傾斜するガイド板５Ｂとを有する。
【００２０】
そして、筐体２内であって各シュート６，５の下方にはゴミ回収容器７が出し入れ自在に収容されており、投入口８，９から廃棄物を投入すると各シュート６，５を介してゴミ回収容器７に収容される。なお、ゴミ回収容器７に代えてゴミ袋を設置するようにしてもよい。
【００２１】
なお、投入口８，９の数は二つに限られず、一つでも三つ以上であってもよい。本例では投入口８，９は縦に並べて配置されているが、横に並べて配置されてもよい。また、シュート６，５の数は、投入口８，９の数と等しくなるようになっていればよい。
【００２２】
また、図３に示すように、扉３の裏面には投入口８，９に対応する孔が形成された矩形板状の補強板１６が、投入口８，９と上記各孔を対向させた状態で四隅をボルト１９によって固定されている。
【００２３】
また、本例では、上側の投入口８の直径は、下側の投入口９の直径より大きくなっており、例えば、投入される空のボトルの大きさや、種類によって仕分けて投入できるようにしている。
【００２４】
また、扉３の下方には筐体２の内部が透けて見える透明な窓１０が形成されており、筐体２内部に配置されたゴミ回収容器７やゴミ袋を透明なものにすれば、ゴミ回収容器７やゴミ袋に収容された廃棄物の収容状況あるいは不審物が投入されていないかを外部から視認できるようにしている。ただし、窓１０は省略されてもよい。
【００２５】
つづいて、シャッター機構について詳細に説明する。シャッター機構は、図３，図４に示すように、扉３の裏面に一端がヒンジ結合されるとともに投入口８，９を閉塞可能な蓋部１１と、筐体２に設けられ蓋部１１が投入口８，９を閉塞した状態で扉３が閉じられると蓋部１１に当接する当接部としての枠体５Ａとを備える。
【００２６】
蓋部１１は、板状の矩形板状の蓋本体１１Ａと、蓋本体１１Ａの一端側に連結された下部ブラケット１１Ｃと、蓋本体１１Ａの他端側に連結された上部ブラケット１１Ｂとを有してなる。
【００２７】
また、扉３の裏面の上側の投入口８の上方には、蓋取付部材１３が設けられている。蓋取付部材１３は、図３、図４に示すように、一対の支持片からなるブラケット１３Ａで構成され、このブラケット１３Ａの支持片間に蓋部１１の下部ブラケット１１Ｃが回転自在に支持されている。これにより、蓋部１１は扉３の裏面に一端がヒンジ結合され、蓋部１１を下方向に回転させると、蓋部１１が投入口８，９を扉３の裏側から覆って閉塞する。
【００２８】
また、図５に示すように、扉３の裏面には、扉３を閉じた際に枠体５Ａと対向する位置に断面Ｌ字状のフレーム１７が設けられている。さらに、蓋本体１１Ａの他端側に設けられた上部ブラケット１１Ｂは、蓋部１１を下方向に回転させて投入口８，９を閉塞する際に、Ｌ字状のフレーム１７の突出端に当接するようになっている。
【００２９】
したがって、図５に示すように、蓋部１１を下方向に回転させて投入口８，９を閉塞させた状態で、扉３を閉じると、蓋部１１の上部ブラケット１１Ｂがフレーム１７と枠体５Ａの間に挟持されるため、蓋部１１は扉３の表側から押されても開かない。
【００３０】
また、本実施の形態に係るゴミ箱１は、投入口８，９を開放している状態で蓋部１１を扉３の裏面に取付自在に連結可能な取付手段を備える。この取付手段は、図３に示すように、蓋本体１１Ａの他端側に設けられた上部ブラケット１１Ｂに形成される孔１１Ｄと、扉３の裏面であって蓋部１１を上方向に回転させた際に上部ブラケット１１Ｂと対向する位置に設けられる保持部１４と、保持部１４に保持されるストッパー１５とを備えて構成される。
【００３１】
孔１１Ｄは、図６に示すように、十字型であって、縦幅が横幅よりも長くなるように形成されている。また、ストッパー１５は、保持部１４に軸回りに回転自在に保持されるとともに蓋部１１が投入口８，９を開放する際に孔１１Ｄの中央に配置される軸１５Ａと、軸１５Ａの反保持部側の端部に設けられ軸１５Ａを中心に径方向に突出するとともに突出方向の幅が孔１１Ｄの縦幅より小さく、横幅よりも大きい引掛け部１５Ｂと、引掛け部１５Ｂの反軸側に半円リング状に形成された把持部１５Ｃとを備えて構成されている。
【００３２】
これにより、投入口８，９を開放している状態で蓋部１１を扉３の裏面に連結する際には、図６（Ａ）に示すように、孔１１Ｄにストッパー１５を挿通した状態で、把持部１５Ｃを掴んで図６（Ｂ）に示すようにストッパー１５を９０度回転させると、引掛け部１５Ｂの突出方向の幅が孔１１Ｄの横幅よりも大きいため、引掛け部１５Ｂが上部ブラケット１１Ｂに引っ掛かって、蓋部１１が扉３の裏面に連結されるロック状態になる。
【００３３】
そして、ロック状態を解除する場合には、ロックする場合とは反対に図６（Ｂ）の状態からストッパー１５を９０度回転させると、図６（Ａ）に示すようにストッパー１５がアンロック状態となる。引掛け部１５Ｂの突出方向の幅は、孔１１Ｄの縦幅よりも小さいため、引掛け部１５Ｂが上部ブラケット１１Ｂに引っ掛かることなく、ストッパー１５から上部ブラケット１１Ｂを抜くことができる。
【００３４】
なお、孔１１Ｄの形状は十字型には限定されず、縦幅と横幅が異なってさえいれば長方形や楕円形であってもよい。本例では縦幅の方が横幅よりも大きくなっているが、横幅の方が縦幅よりも大きく形成されていてもよい。また、引掛け部１５Ｂの突出方向の幅は、孔１１Ｄの縦幅と横幅のうち幅の大きい一方側の幅より小さく、縦幅と横幅のうち幅の小さい他方側の幅より大きく設定されればよい。そのため、孔１１Ｄにおいて横幅の方が縦幅よりも大きい場合には、引掛け部１５Ｂの突出方向の幅は、孔１１Ｄの横幅より小さく縦幅よりも大きく設定すればよい。
【００３５】
また、上述した取付手段の構成は一例であって、取付手段の構成は上記構成には限定されず、例えば、マグネットによって連結するようにしてもよい。
【００３６】
さらに、扉３を閉じた時は、扉３の裏側に屈曲片からなる錠前１８が回転自在に設けられており、これを扉３の表から回転して筐体２の入口側の枠に引掛けてロックできるようになっている。
【００３７】
また、蓋部１１の蓋本体１１Ａの表側外面の投入口８，９と対応する位置には、ゴミ箱１の使用が禁止されていることが一目で分かる禁止マーク１２Ａ，１２Ｂが設けられている。
【００３８】
これにより、蓋部１１によって投入口８，９が閉塞されている時には、図２に示すように、外部からこの禁止マーク１２Ａ，１２Ｂが視認できるので、ゴミ箱１の使用が禁止されていることが、利用者に一目で分かるようになっている。
【００３９】
また、禁止マーク１２Ａ，１２Ｂは、蓋本体１１Ａに貼付されるシールであってもよいが、蓋本体１１Ａに直接印字されていてもよい。蓋本体１１Ａに直接印字した場合、蓋本体１１Ａにシールを貼付する作業が不要となり、ゴミ箱１の組立作業性が向上する。
【００４０】
本発明によれば、蓋部１１が扉３の裏面にヒンジ結合されているので、この蓋部１１を上方又は下方に回転させるだけで投入口８，９を開閉できるので投入口８，９の開閉作業が容易である。
【００４１】
これにより、本発明によれば、従来のゴミ箱のように扉の裏側に設けられたガイド部に板状の蓋を挿入する方法や、ゴミ箱の投入口に張り紙をする方法に比べて、テロなどの有事の際に即座に確実に投入口８，９を閉鎖できるため、テロ被害の拡大を抑制できる。
【００４２】
また、蓋部１１が投入口８，９を閉塞した状態で扉３が閉じられると蓋部１１に当接する当接部としての枠体５Ａが筐体２に設けられているため、扉３を閉じるだけで蓋部１１が裏側から押えられて蓋部１１を表側から押し開かせることができなくなり、投入口８，９を閉じる作業の作業性が向上するとともに、扉３の外から投入口８，９を開けられてしまうことを防止できる。
【００４３】
さらに、蓋部１１が投入口８，９の開閉状態に関係なく常に扉３の裏側に保持されているので、蓋部１１の紛失を防止できる。加えて、蓋部１１が表側から押し開かれないように、蓋部１１をビス止めしておく必要もないため、ビスなどの止め具の紛失も起こり得ず、継続的に投入口８，９の開閉機能を利用できる。その上、蓋部１１が扉３の裏側に保持されているので、蓋部１１が作業者の足の上に落ちるなどして作業者にケガをさせてしまうことや、脱落による蓋部１１の破損も防止できる。
【００４４】
また、本実施の形態においては、ストッパー１５も扉３に一体に連結されているため、ストッパー１５の紛失が防止される。
【００４５】
また、本実施の形態では、当接部として下部シュート５の枠体５Ａの外周を利用しているが、当接部は蓋部１１が投入口８，９を閉塞した状態で扉３が閉じられる際に蓋部１１に当接するものであれば下部シュート５の枠体５Ａでなくてもよい。ただし、本例のように下部シュート５の枠体５Ａの外周を当接部として利用すると、余計な部材を設けなくてよくなるため、部品数を削減できる。
【００４６】
なお、本例のシャッター機構では、蓋部１１が下方に回転すると投入口８，９を閉塞し、上方に回転すると投入口８，９を開放するようにしているが、反対にしてもよい。あるいは、蓋部１１の側部をヒンジ結合して左右に回転させて投入口８，９を開閉するようにしてもよい。
【００４７】
以上、本発明の好ましい実施の形態を詳細に説明したが、特許請求の範囲から逸脱なく改造、変形及び変更ができるのは当然である。
【符号の説明】
【００４８】
１・・・ゴミ箱、２・・・筐体、３・・・扉、５・・・下部シュート（シュート）、５Ａ・・・枠体（当接部）、５Ｂ・・・ガイド板、８，９・・・投入口、１１・・・蓋部、１１Ｃ・・・孔、１４・・・保持部、１５Ａ・・・軸、１５Ｂ・・・引掛け部
【図１】
2020037476.tif 000003
【図２】
2020037476.tif 000004
【図３】
2020037476.tif 000005
【図４】
2020037476.tif 000006
【図５】
2020037476.tif 000007
【図６】
2020037476.tif 000008
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
入口を有する箱状の筐体（２）と、
上記筐体（２）に上記入口を開閉自在に取付けた扉（３）と、
上記扉（３）に形成される投入口（８，９）と、
上記扉（３）の裏側から上記投入口（８，９）を開閉可能なシャッター機構とを備えるゴミ箱において、
上記シャッター機構は、
上記扉（３）の裏面に一端がヒンジ結合されるとともに上記投入口（８，９）を閉塞可能な蓋部（１１）と、
上記筐体（２）に設けられ、上記蓋部（１１）が上記投入口（８，９）を閉塞した状態で上記扉（３）が閉じられると、上記蓋部（１１）に当接して上記扉（３）とともに上記蓋部（１１）を挟持する当接部を有する
ことを特徴とするゴミ箱（１）。
【請求項２】
上記投入口（８，９）を開放している状態で上記蓋部（１１）の他端を上記扉（３）の裏面に取付自在に連結可能な取付手段を備える
ことを特徴とする請求項１に記載のゴミ箱（１）。
【請求項３】
上記取付手段が、
上記蓋部（１１）の他端に形成され、縦幅と横幅が互いに異なる孔（１１Ｄ）と、
上記扉（３）の裏面に設けられる保持部（１４）と、
上記保持部（１４）に軸回りに回転自在に保持されるとともに、上記蓋部（１１）が上記投入口（８，９）を開放する際に上記孔（１１Ｄ）の中央に配置される軸（１５Ａ）と、
上記軸（１５Ａ）の反保持部側の端部に設けられ上記軸（１５Ａ）を中心に径方向に突出するとともに、突出方向の幅が上記縦幅と上記横幅のうち幅の大きい一方側の幅より小さく、上記縦幅と上記横幅のうち幅の小さい他方側の幅より大きい引掛け部（１５Ｂ）とを備える
ことを特徴とする請求項１又は２に記載のゴミ箱（１）。
【請求項４】
上記筐体（２）内に設けられ上記扉（３）が閉じられる際に上記投入口（９）の下方に配置される枠体（５Ａ）と、上記枠体（５Ａ）の内周から下方に向けて傾斜するガイド板（５Ｂ）とを有するシュート（５）を備え、
上記枠体（５Ａ）の外周が上記当接部である
ことを特徴とする請求項１から３のいずれか一項に記載のゴミ箱（１）。
【手続補正２】
【補正対象書類名】明細書
【補正対象項目名】００１２
【補正方法】変更
【補正の内容】
【００１２】
上記の目的を達成させるため、本発明のゴミ箱は、入口を有する箱状の筐体と、上記筐体に上記入口を開閉自在に取付けた扉と、上記扉に形成される投入口と、上記扉の裏側から上記投入口を開閉可能なシャッター機構とを備えるゴミ箱において、上記シャッター機構は、上記扉の裏面に一端がヒンジ結合されるとともに上記投入口を閉塞可能な蓋部と、上記筐体に設けられ、上記蓋部が上記投入口を閉塞した状態で上記扉が閉じられると、上記蓋部に当接して上記扉とともに上記蓋部を挟持する当接部を有することを特徴とする。
【手続補正３】
【補正対象書類名】明細書
【補正対象項目名】００４８
【補正方法】変更
【補正の内容】
【００４８】
１・・・ゴミ箱、２・・・筐体、３・・・扉、５・・・下部シュート（シュート）、５Ａ・・・枠体（当接部）、５Ｂ・・・ガイド板、８，９・・・投入口、１１・・・蓋部、１１Ｄ・・・孔、１４・・・保持部、１５Ａ・・・軸、１５Ｂ・・・引掛け部